【手続補正書】
【提出日】平成26年4月15日(2014.4.15)
【手続補正１】
【補正対象書類名】特許請求の範囲
【補正対象項目名】全文
【補正方法】変更
【補正の内容】
【特許請求の範囲】
【請求項１】
基板層と、
該基板層上のトラックに配列されるユーザーデータ及び制御データを含むピット／ランドデータ構造を有する読み出し専用のデータ層であって、前記制御データは光ディスクのための保護コードを含む、データ層と、
該データ層上に配置される超解像構造を備える非線形層と、
を含む光ディスクであって、
前記制御データは、前記光ディスクの逆回転を含むことによってのみ、
第１のデータ信号を得るために前記光ディスクを順方向に回転させることによって前記制御データを読み出し、
第２のデータ信号を得るために前記光ディスクを逆方向に回転させることによって前記制御データを読み出し、
前記第１のデータ信号を前記第２のデータ信号と比較して前記保護コードを取得することにより、
正しく読み出し可能である、前記光ディスク。
【請求項２】
前記ユーザーデータは、前記制御データの読み出し及び前記保護コードの抽出の後でのみ読み出し可能である、請求項１に記載の光ディスク。
【請求項３】
前記制御データは、前記ユーザーデータの前に、前記光ディスクの内側トラック又は内側区画に配列されることを特徴とする請求項１又は２に記載の光ディスク。
【請求項４】
前記制御データは、
前記データの読み出しのためのピックアップの解像限界より上である大きなピット及びランドと、
前記ピックアップの前記解像限界より下である小さなピット及びランドと、を含み、
前記制御データの前記大きな及び小さなピットならびにランドは、前記制御データの正しい読み出しが、前記ユーザーデータの読み出しのための前記光ディスクの回転に対して前記光ディスクの回転を逆にすることによってのみ可能であるように配列される、請求項１，２又は３に記載の光ディスク。
【請求項５】
前記大きなピット及びランドは、５Ｔ乃至８Ｔピット及びランドであり、前記小さなピット及びランドは、２Ｔ及び／又は３Ｔピットならびにランドであり、前記制御データは少なくとも、５Ｔ乃至８Ｔピットに続く２Ｔ及び／もしくは３Ｔランド、ならびに／又は２Ｔ及び／もしくは３Ｔピットが後に続く５Ｔ乃至８Ｔランドを含む、請求項４に記載の光ディスク。
【請求項６】
前記非線形層は、前記超解像構造として、ＧａＳｂ、ＩｎＡｓもしくはＩｎＳｂのＩＩＩ−Ｖ半導体族の半導体材料、又は、カルコゲナイド材料の相変化材料を含む、請求項１乃至５のいずれかに記載の光ディスク。
【請求項７】
前記非線形層は、前記制御データだけを覆い、前記データ層の前記ユーザーデータを覆わない、請求項１乃至６のいずれかに記載の光ディスク。
【請求項８】
前記ピックアップの前記解像限界は、λ／２ＮＡとして定義され、λは、レーザー波長であり、ＮＡは、前記ピックアップの開口数である、請求項１乃至７のいずれかに記載の光ディスク。
【請求項９】
前記非線形層上のカバー層と、前記非線形層と前記データ層との間に配置される第１誘電体層と、前記非線形層と前記カバー層との間に配置される第２誘電体層とを含む、請求項１乃至８のいずれかに記載の光ディスク。
【請求項１０】
基板層と、該基板層上のトラックに配列されるユーザーデータ及び制御データを含むピット／ランドデータ構造を有する読み出し専用のデータ層と、保護コードが前記制御データ内に隠されるように配列された前記制御データ内のピットとランドのパターンと、前記データ層上に配置される超解像構造を備える非線形層とを含む光ディスクからデータを読み出すためのデータ読み出し方法であって、
第１のデータ信号を得るために前記光ディスクを順方向に回転させることによって前記制御データを読み出すステップと、
第２のデータ信号を得るために前記光ディスクを逆方向に回転させることによって前記制御データを読み出すステップと、
前記第１のデータ信号及び前記第２のデータ信号から前記光ディスクのための前記保護コードを計算するステップと
を含む、前記方法。
【請求項１１】
前記光ディスクの超解像効果を利用するためのしきいより上である、前記制御データの読み出しのためのレーザー出力を使用するステップを含む、請求項１０に記載の方法。
【請求項１２】
前記光ディスクのコピー防止のため又は読み出し防止のために前記保護コードを使用するステップを含み、
前記保護コードは、前記第１のデータ信号及び前記第２のデータ信号の差、合計、又は任意の数学的組合せを考慮に入れることによって計算される、請求項１０又は１１に記載の方法。
【請求項１３】
前記光ディスクは、請求項１乃至９のいずれかに記載の光ディスクである、請求項１０，１１又は１２に記載の方法。
【請求項１４】
請求項１０乃至１３のいずれかに記載の方法を適用して、前記光ディスクの制御データ内に隠された保護コードを得るために、光ディスクのデータを読み出すためのピックアップと、前記保護コードの前記計算のためのマイクロプロセッサと、前記光ディスクを順方向及び逆方向に回転させるためのモータ及びサーボ制御装置とを含む、装置。
【請求項１５】
誤り訂正は、前記保護コードの前記計算のために前記制御データを読み出すときは適用されない、又は５Ｔ乃至８Ｔピットに続く２Ｔ及び／もしくは３Ｔランドならびに／又は５Ｔ乃至８Ｔランドに続く２Ｔ及び／もしくは３Ｔピットを含まない誤り訂正は、適用される、請求項１４に記載の装置。
【手続補正２】
【補正対象書類名】明細書
【補正対象項目名】００４６
【補正方法】変更
【補正の内容】
【００４６】
また、本発明の他の実施形態も、本発明の精神及び範囲から逸脱することなく当業者によって利用されてもよい。従って、本発明は、本明細書の後に添付される特許請求の範囲
に存在する。
以下に、本発明の好ましい態様を示す。
付記１．基板層と、
該基板層上のトラックに配列されるユーザーデータ及び制御データを含むピット／ランドデータ構造を有する読み出し専用のデータ層と、
該データ層上に配置される超解像構造を備える非線形層とを含む光ディスクであって、
前記制御データは、前記光ディスクの逆回転を含むことによってのみ正しく読み出し可能であることを特徴とする光ディスク。
付記２．前記制御データは、前記光ディスクのための保護コードを含み、前記ユーザーデータは、前記制御データの読み出し及び前記保護コードの抽出の後でのみ読み出し可能であることを特徴とする付記１に記載の光ディスク。
付記３．前記制御データは、前記ユーザーデータの前に前記光ディスクの内側トラック又は内側区画に配列されることを特徴とする付記１又は付記２に記載の光ディスク。
付記４．前記制御データは、
前記データの読み出しのためのピックアップの解像限界より上である大きなピット（ＤＰ）及びランド（ＤＬ）と、
前記ピックアップの前記解像限界より下である小さなピット（ＳＰ１）及びランド（ＳＬ１）とを含み、
前記制御データの前記大きな及び小さなピットならびにランドは、前記制御データの正しい読み出しが、前記ユーザーデータの読み出しのための前記ディスク回転に対して前記光ディスク回転を逆にすることによってのみ可能であるように配列されることを特徴とする付記１，付記２又は付記３に記載の光ディスク。
付記５．前記大きなピット及びランドは、５Ｔ乃至８Ｔピット及びランドであり、前記小さなピット及びランドは、２Ｔ及び／又は３Ｔピットならびにランドであり、前記制御データは少なくとも、５Ｔ乃至８Ｔピットに続く２Ｔ及び／もしくは３Ｔランド、ならびに／又は２Ｔ及び／もしくは３Ｔピットが後に続く５Ｔ乃至８Ｔランドを含むことを特徴とする付記４に記載の光ディスク。
付記６．前記非線形層は、前記超解像構造として、例えば、ＧａＳｂ、ＩｎＡｓもしくはＩｎＳｂのＩＩＩ−Ｖ半導体族の半導体材料、又は、例えば、カルコゲナイド材料の相変化材料を含むことを特徴とする付記１乃至付記５のいずれかに記載の光ディスク。
付記７．前記非線形層は、前記制御データだけを覆い、前記データ層の前記ユーザーデータを覆わないことを特徴とする付記１乃至付記６のいずれかに記載の光ディスク。
付記８．前記ピックアップの前記解像限界は、ラムダ／２ＮＡとして定義され、ラムダは、レーザー波長であり、ＮＡは、前記ピックアップの開口数であることを特徴とする付記１乃至付記７のいずれかに記載の光ディスク。
付記９．前記非線形層上のカバー層と、前記非線形層と前記データ層との間に配置される第１誘電体層と、前記非線形層と前記カバー層との間に配置される第２誘電体層とを含むことを特徴とする付記１乃至付記８のいずれかに記載の光ディスク。
付記１０．基板層と、該基板層上のトラックに配列されるユーザーデータ及び制御データを含むピット／ランドデータ構造を有する読み出し専用のデータ層と、該データ層上に配置される超解像構造を備える非線形層とを含む光ディスクからデータを読み出すためのデータ読み出し方法であって、
第１のデータ信号を得るために前記光ディスクを順方向に回転させることによって前記制御データを読み出すステップと、
第２のデータ信号を得るために前記光ディスクを逆方向に回転させることによって前記制御データを読み出すステップと、
前記第１のデータ信号及び前記第２のデータ信号から前記光ディスクのための保護コードを計算するステップと
を含むことを特徴とするデータ読み出し方法。
付記１１．前記光ディスクの超解像効果を利用するためのしきいより上である、前記制御データの読み出しのためのレーザー出力を使用するステップを含むことを特徴とする付記１０に記載のデータ読み出し方法。
付記１２．前記光ディスクのコピー防止のため又は読み出し防止のために前記保護コードを使用するステップを含み、
前記保護コードは、前記第１のデータ信号及び前記第２のデータ信号の差、合計、又は任意の数学的組合せを考慮に入れることによって計算されることを特徴とする付記１０又は付記１１に記載のデータ読み出し方法。
付記１３．前記光ディスクは、付記１乃至付記９のいずれかに記載の光ディスクであることを特徴とする付記１０，付記１１又は付記１２に記載のデータ読み出し方法。
付記１４．付記１０乃至付記１３のいずれかに記載の方法を適用するために、光ディスクのデータを読み出すためのピックアップと、前記保護コードの前記計算のためのマイクロプロセッサと、前記光ディスクを順方向及び逆方向に回転させるためのモータ及びサーボ制御装置とを含むことを特徴とするデータ読み出し装置。
付記１５．誤り訂正は、前記保護コードの前記計算のために前記制御データを読み出すときは適用されない、又は５Ｔ乃至８Ｔピットに続く２Ｔ及び／もしくは３Ｔランドならびに／又は５Ｔ乃至８Ｔランドに続く２Ｔ及び／もしくは３Ｔピットを含まない誤り訂正は、適用されることを特徴とする付記１４に記載のデータ読み出し装置。